(57)【要約】【課題】被箔押し物のサイズの制限を大幅に緩和することを可能にした箔押し装置における遮光装置を提供する。【解決手段】筐体内に色材がコーティングされた箔フィルムにレーザー光を照射して熱量を供給する箔押し機構を備えた箔押し装置における遮光装置において、天板と底板と背面板とを有する筐体の天板に設けられた上部ガイドレールと、筐体の底板に設けられた下部ガイドレールと、レーザー光を遮光可能な遮光材料よりなる蛇腹構造状のフレキシブルなシートと、シートの上縁部に設けられるとともに上部ガイドレールに摺動自在に嵌合する上部ローラーと、シートの下縁部に設けられるとともに下部ガイドレールに摺動自在に嵌合する下部ローラーと、下部ガイドレールの端部に設けられてオン状態とオフ状態とを選択するスイッチと、シートの端部に設けられてスイッチをオン状態とするスイッチ操作手段とを有する。【選択図】        図１
2020006595.tif 000002
【特許請求の範囲】
【請求項１】
筐体内に色材がコーティングされた箔フィルムにレーザー光を照射して熱量を供給する箔押し機構を備えた箔押し装置における遮光装置において、
天板と底板と背面板とを有する筐体の前記天板に設けられた上部ガイドレールと、
前記筐体の前記底板に設けられた下部ガイドレールと、
レーザー光を遮光可能な遮光材料よりなる蛇腹構造状のフレキシブルなシートと、
前記シートの上縁部に設けられるとともに前記上部ガイドレールに摺動自在に嵌合する上部ローラーと、
前記シートの下縁部に設けられるとともに前記下部ガイドレールに摺動自在に嵌合する下部ローラーと、
前記下部ガイドレールの端部に設けられてオン状態とオフ状態とを選択するスイッチと、
前記シートの端部に設けられて前記スイッチをオン状態とするスイッチ操作手段と
を有することを特徴とする箔押し装置における遮光装置。
【請求項２】
筐体内に色材がコーティングされた箔フィルムにレーザー光を照射して熱量を供給する箔押し機構を備えた箔押し装置における遮光装置において、
天板と底板と背面板とを有する筐体の前記天板に設けられた上部ガイドレールと、
前記筐体の前記底板に設けられた下部ガイドレールと、
レーザー光を遮光可能な遮光材料よりなる蛇腹構造状のフレキシブルなシートと、
前記シートの上縁部に設けられるとともに前記上部ガイドレールに摺動自在に嵌合する上部ローラーと、
前記シートの下縁部に設けられるとともに前記下部ガイドレールに摺動自在に嵌合する下部ローラーと、
前記上部ガイドレールの端部に設けられてオン状態とオフ状態とを選択するスイッチと、
前記シートの端部に設けられて前記スイッチをオン状態とするスイッチ操作手段と
を有することを特徴とする箔押し装置における遮光装置。
【請求項３】
筐体内に色材がコーティングされた箔フィルムにレーザー光を照射して熱量を供給する箔押し機構を備えた箔押し装置における遮光装置において、
天板と底板と背面板とを有する筐体の前記天板に設けられた上部ガイドレールと、
前記筐体の前記底板に設けられた下部ガイドレールと、
レーザー光を遮光可能な遮光材料よりなる蛇腹構造状のフレキシブルなシートと、
前記シートの上縁部に設けられるとともに前記上部ガイドレールに摺動自在に嵌合する上部ローラーと、
前記シートの下縁部に設けられるとともに前記下部ガイドレールに摺動自在に嵌合する下部ローラーと、
前記下部ガイドレールの端部に設けられてオン状態とオフ状態とを選択する第１のスイッチと、
前記上部ガイドレールの端部に設けられてオン状態とオフ状態とを選択する第２のスイッチと、
前記シートの端部に設けられて前記第１のスイッチをオン状態とする第１のスイッチ操作手段と、
前記シートの端部に設けられて前記第２のスイッチをオン状態とする第２のスイッチ操作手段と
を有することを特徴とする箔押し装置における遮光装置。
【請求項４】
請求項３に記載の箔押し装置における遮光装置において、
前記第１のスイッチと前記第２のスイッチとのいずれもがオン状態のときに前記箔押し機構を作動可能とし、
前記第１のスイッチと前記第２のスイッチとの少なくともいずれか一方がオフ状態のときに前記箔押し機構を作動停止する
ことを特徴とする箔押し装置における遮光装置。
【請求項５】
請求項１、２、３または４のいずれか１項に記載の箔押し装置における遮光装置において、さらに、
前記シートの前記上縁部を外部から遮蔽する上部遮蔽部材と、
前記シートの前記下縁部を外部から遮蔽する下部遮蔽部材と
を有することを特徴とする箔押し装置における遮光装置。
【発明の詳細な説明】
【技術分野】
【０００１】
本発明は、箔押し装置における遮光装置に関する。さらに詳細には、本発明は、色材がコーティングされた箔フィルムにレーザー光を照射して熱量を供給する箔押し装置における遮光装置に関する。
【背景技術】
【０００２】
一般に、箔押し装置の一種として、例えば、特開２０１６−２１５５９９号公報に開示されているように、色材がコーティングされた箔フィルムを押圧して熱量を供給するペンとして、レーザー光を照射して熱量を供給するペン（本明細書においては、「箔押し装置において箔フィルムに対してレーザー光を照射して熱量を供給するペン」を「レーザーペン」と適宜に称する。）を備えたものが知られている。
【０００３】
こうしたレーザーペンを備えた箔押し装置においては、レーザー光から作業者の目を保護して作業者の安全性を確保するために、レーザーペンから照射されるレーザー光が当該箔押し装置の外部へ漏れ出ないようにする遮光部材が設けられている。
【０００４】
従来、こうした遮光部材はハードカバーにより構成されていて、遮光部材が閉鎖されてレーザー光が外部へ漏れ出ないようにした状態（閉鎖状態）と、遮光部材が開放されてレーザー光が外部へ漏れ出る可能性のある状態（開放状態）とを検出する検出手段を備えており、検出手段が遮光部材の開放状態を検出すると、レーザーペンからのレーザー光の照射が自動的に停止するように構成されている。
【０００５】
ところで、上記したように従来の遮光部材はハードカバーで変形しないため、遮光部材のサイズを超える被箔押し物に対して箔押ししようとする際には、遮光部材が開放状態となってレーザーペンからのレーザー光の照射が自動的に停止されるので、当該被箔押し物に対して箔押しができなくなるということが指摘されており、被箔押し物のサイズに大幅な制限が課されていたという問題点があった。
【先行技術文献】
【特許文献】
【０００６】
【特許文献１】特開２０１６−２１５５９９号公報
【発明の概要】
【発明が解決しようとする課題】
【０００７】
本発明は、従来の技術の有する上記したような種々の問題点に鑑みてなされたものであり、その目的とするところは、被箔押し物のサイズの制限を大幅に緩和することを可能にした箔押し装置における遮光装置を提供しようとするものである。
【課題を解決するための手段】
【０００８】
上記目的を達成するために、本発明は、筐体内に色材がコーティングされた箔フィルムにレーザー光を照射して熱量を供給する箔押し機構を備えた箔押し装置における該筐体の開放部位を、遮光材料よりなる蛇腹構造（アコーディオン構造）状のフレキシブルなシート（膜）により予め設定された裕度をもたせて被覆可能にしたものである。
【０００９】
従って、本発明によれば、被箔押し物のサイズに応じて上記したシートの裕度を適宜に選択することにより、被箔押し物のサイズの制限を大幅に緩和することが可能になる。
【００１０】
即ち、本発明は、筐体内に色材がコーティングされた箔フィルムにレーザー光を照射して熱量を供給する箔押し機構を備えた箔押し装置における遮光装置において、天板と底板と背面板とを有する筐体の上記天板に設けられた上部ガイドレールと、上記筐体の上記底板に設けられた下部ガイドレールと、レーザー光を遮光可能な遮光材料よりなる蛇腹構造状のフレキシブルなシートと、上記シートの上縁部に設けられるとともに上記上部ガイドレールに摺動自在に嵌合する上部ローラーと、上記シートの下縁部に設けられるとともに上記下部ガイドレールに摺動自在に嵌合する下部ローラーと、上記下部ガイドレールの端部に設けられてオン状態とオフ状態とを選択するスイッチと、上記シートの端部に設けられて上記スイッチをオン状態とするスイッチ操作手段とを有するようにしたものである。
【００１１】
また、本発明は、筐体内に色材がコーティングされた箔フィルムにレーザー光を照射して熱量を供給する箔押し機構を備えた箔押し装置における遮光装置において、天板と底板と背面板とを有する筐体の上記天板に設けられた上部ガイドレールと、上記筐体の上記底板に設けられた下部ガイドレールと、レーザー光を遮光可能な遮光材料よりなる蛇腹構造状のフレキシブルなシートと、上記シートの上縁部に設けられるとともに上記上部ガイドレールに摺動自在に嵌合する上部ローラーと、上記シートの下縁部に設けられるとともに上記下部ガイドレールに摺動自在に嵌合する下部ローラーと、上記上部ガイドレールの端部に設けられてオン状態とオフ状態とを選択するスイッチと、上記シートの端部に設けられて上記スイッチをオン状態とするスイッチ操作手段とを有するようにしたものである。
【００１２】
また、本発明は、筐体内に色材がコーティングされた箔フィルムにレーザー光を照射して熱量を供給する箔押し機構を備えた箔押し装置における遮光装置において、天板と底板と背面板とを有する筐体の上記天板に設けられた上部ガイドレールと、上記筐体の上記底板に設けられた下部ガイドレールと、レーザー光を遮光可能な遮光材料よりなる蛇腹構造状のフレキシブルなシートと、上記シートの上縁部に設けられるとともに上記上部ガイドレールに摺動自在に嵌合する上部ローラーと、上記シートの下縁部に設けられるとともに上記下部ガイドレールに摺動自在に嵌合する下部ローラーと、上記下部ガイドレールの端部に設けられてオン状態とオフ状態とを選択する第１のスイッチと、上記上部ガイドレールの端部に設けられてオン状態とオフ状態とを選択する第２のスイッチと、上記シートの端部に設けられて上記第１のスイッチをオン状態とする第１のスイッチ操作手段と、上記シートの端部に設けられて上記第２のスイッチをオン状態とする第２のスイッチ操作手段とを有するようにしたものである。
【００１３】
また、本発明は、上記した本発明において、上記第１のスイッチと上記第２のスイッチとのいずれもがオン状態のときに上記箔押し機構を作動可能とし、上記第１のスイッチと上記第２のスイッチとの少なくともいずれか一方がオフ状態のときに上記箔押し機構を作動停止するようにしたものである。
【００１４】
また、本発明は、上記した本発明において、さらに、上記シートの上記上縁部を外部から遮蔽する上部遮蔽部材と、上記シートの上記下縁部を外部から遮蔽する下部遮蔽部材とを有するようにしたものである。
【発明の効果】
【００１５】
本発明は、以上説明したように構成されているので、被箔押し物のサイズの制限を大幅に緩和することが可能になるという優れた効果を奏するものである。
【図面の簡単な説明】
【００１６】
【図１】図１は、本発明による箔押し装置における遮光装置の実施の形態の一例を備えた箔押し装置を模式的に示した斜視構成説明図である。図１は、遮光装置のシートを開けた状態を示している。また、図１は、本発明の理解を容易にするために、上部遮蔽部材と下部遮蔽部材とについては、その一部分のみを示して他の部分は取り除いた状態を示している。
【図２】図２は、本発明による箔押し装置における遮光装置の実施の形態の一例を備えた箔押し装置を模式的に示した斜視構成説明図である。図２は、遮光装置のシートを閉じた状態を示している。
【図３】図３（ａ）は、遮光装置のシートと筐体の天板との取り付け構造を模式的に示す断面構成説明図である。図３（ｂ）は、遮光装置のシートと筐体の底板との取り付け構造を模式的に示す断面構成説明図である。
【発明を実施するための形態】
【００１７】
以下、添付の図面を参照しながら、本発明による箔押し装置における遮光装置の実施の形態の一例を詳細に説明するものとする。
【００１８】
なお、以下の説明においては、説明を簡略化して本発明による箔押し装置における遮光装置の理解を容易にするために、説明の便宜上、ＸＹ平面を水平面とするＸＹＺ直交座標系を参照しながら説明する。しかしながら、本発明による箔押し装置における遮光装置は、本説明に用いたＸＹＺ直交座標系配置に限られるものではないことは勿論である。
【００１９】
（Ｉ）本発明による箔押し装置における遮光装置を備えた箔押し装置の構成の説明
【００２０】
図１には、本発明による箔押し装置における遮光装置の実施の形態の一例を備えた箔押し装置を模式的に示した斜視構成説明図があらされている。なお、図１は、遮光装置のシートを開けた状態を示している。また、図１は、本発明の理解を容易にするために、上部遮蔽部材と下部遮蔽部材とについては、その一部分のみを示して他の部分は取り除いた状態を示している。
【００２１】
また、図２には、本発明による箔押し装置における遮光装置の実施の形態の一例を備えた箔押し装置を模式的に示した斜視構成説明図があらわされている。なお、図２は、遮光装置のシートを閉じた状態を示している。
【００２２】
さらに、図３（ａ）には、遮光装置のシートと筐体の天板との取り付け構造を模式的に示す断面構成説明図があらわされており、また、図３（ｂ）には、遮光装置のシートと筐体の底板との取り付け構造を模式的に示す断面構成説明図があらわされている。
【００２３】
この図１ならびに図２に示す本発明による箔押し装置における遮光装置の実施の形態の一例を備えた箔押し装置１０は、天板１０２と底板１０４と背面板１０６とを備えた筐体１００の内部に、レーザーペンにより被箔押し物に対して箔押し加工を施す箔押し機構２００が配設されている。
【００２４】
なお、箔押し機構２００は、例えば、特開２０１６−２１５５９９号公報などに開示されているようなレーザーペンを備えた従来より公知の構成を用いればよいので、その詳細な構成ならびに作用の説明は省略する。
【００２５】
ここで、筐体１００の天板１０２と底板１０４と背面板１０６とは、それぞれ略四角形状の板状体である。背面板１０６の上縁部１０６ａは天板１０２の後縁部１０２ａと連結され、また、背面板１０６の下縁部１０６ｂは底板１０４の後縁部１０４ａと連結されていて、天板１０２と底板１０４と背面板１０６とが一体化されている。
【００２６】
従って、筐体１００においては、その前面部、右側面部および左側面部が外部に開放されている。
【００２７】
天板１０２における後縁部１０２ａを除く縁部、即ち、右縁部１０２ｂ、前縁部１０２ｃおよび左縁部１０２ｄには、上部ローラー２２（後述する。）を誘導する上部ガイドレール１０８が配設されている。
【００２８】
同様に、底板１０４における後縁部１０４ａを除く縁部、即ち、右縁部１０４ｂ、前縁部１０４ｃおよび左縁部１０４ｄには、下部ローラー２４（後述する。）を誘導する下部ガイドレール１１０が配設されている。
【００２９】
また、背面板１０６の左縁部１０６ｃと隣接する底板１０４の左縁部１０４ｄに配設されている下部ガイドレール１１０の左端部１１０ａには、スイッチとしてプッシュボタン１１２ａを備えたプッシュスイッチ１１２が配設されている。
【００３０】
このプッシュスイッチ１１２は、箔押し装置１０に内蔵されたコンピューター（図示せず。）と接続されており、当該コンピューターの制御により、プッシュボタン１１２ａが押圧されているオン状態でのみ箔押し機構２００が作動可能とされている。一方、プッシュボタン１１２ａが押圧されていないオフ状態では、コンピューターの制御により、箔押し機構２００は作動を停止するように制御される。
【００３１】
符号２０は、箔押し機構２００のレーザーペンから出射されるレーザー光を遮光可能な遮光材料よりなる蛇腹構造（アコーディオン構造）状のフレキシブルなシート（膜）である。
【００３２】
シート２０は、筐体１００の開放部分、即ち、前面部、右側面部および左側面部を遮蔽可能であるとともに、箔押し機構２００に被箔押し物を設置した状態で筐体１００の開放部分、即ち、前面部、右側面部および左側面部を遮蔽した際に、予め設定された裕度をもって遮蔽可能な面積を備えた略四角形状の柔軟なシートである。
【００３３】
なお、シート２０の右縁部２０ａは、背面板１０６の右縁部１０６ｄに固定的に配設されている。
【００３４】
このシート２０の上縁部２０ｂには、上部ガイドレール１０８に摺動自在に嵌合する上部ローラー２２が、取り付け軸２６と止めビス２８を介して配設されている。上部ローラー２２は、予め設定された間隔を開けて複数箇所設けられている。
【００３５】
また、シート２０の下縁部２０ｃには、下部ガイドレール１１０に摺動自在に嵌合する下部ローラー２４が、取り付け軸３０と止めビス３２を介して配設されている。下部ローラー２４は、予め設定された間隔を開けて複数箇所設けられている。
【００３６】
さらに、シート２０の左縁部２０ｄの下方端部２０ｄｄには、プッシュスイッチ１１２のプッシュボタン１１２ａを押圧してオン状態とするプッシュ板部材３４が配設されている。
【００３７】
符号３６は、上部ガイドレール１０８に沿って配置されて、シート２０の上縁部２０ｂを外部から遮蔽する上部遮蔽部材である。
【００３８】
また、符号３８は、下部ガイドレール１１０に沿って配置されて、シート２０の下縁部２０ｃを外部から遮蔽する下部遮蔽部材である。
【００３９】
なお、上記した実施の形態においては、本発明による箔押し装置における遮光装置は、筐体１００の天板１０２に設けられた上部ガイドレール１０８と、筐体１００の底板１０４に設けられた下部ガイドレール１１０と、レーザー光を遮光可能な遮光材料よりなる蛇腹構造状のフレキシブルなシート２０と、シート２０の上縁部２０ｂに設けられるとともに上部ガイドレール１０８に摺動自在に嵌合する上部ローラー２２と、シート２０の下縁部２０ｃに設けられるとともに下部ガイドレール１１０に摺動自在に嵌合する下部ローラー２４と、下部ガイドレール１１０の左端部１１０ａに設けられたプッシュボタン１１２ａを備えたプッシュスイッチ１１２と、シート２０の下方端部２０ｄｄに設けられるとともにプッシュスイッチ１１２のプッシュボタン１１２ａを押圧してオン状態とするプッシュ板部材３４と、シート２０の上縁部２０ｂを外部から遮蔽する上部遮蔽部材３６と、シート２０の下縁部２０ｃを外部から遮蔽する下部遮蔽部材３８とを有して構成されている。
【００４０】
（ＩＩ）本発明による箔押し装置における遮光装置を備えた箔押し装置の動作の説明
【００４１】
以上の構成において、箔押し機構２００に被箔押し物を配置するときは、シート２０の左縁部２０ｄを右縁部２０ａ側に移動して蛇腹を折りたたむようにしてシート２０を閉じて、筐体１００の前面部、右側面部および左側面部を開放し、作業者が箔押し機構２００に被箔押し物を配置しやすくする。
【００４２】
シート２０の左縁部２０ｄを右縁部２０ａ側に移動する際には、上部ローラー２２が上部ガイドレール１０８に沿って移動し、かつ、下部ローラー２４が下部ガイドレール１１０に沿って移動することにより、シート２０は蛇腹が折りたたまれるようにして滑らかに移動する。
【００４３】
箔押し機構２００に被箔押し物を配置した後に、シート２０の左縁部２０ｄを背面板１０６の左縁部１０６ｃまで移動して蛇腹を拡げるようにシート２０を拡げ、プッシュ板部材３４によりプッシュスイッチ１１２のプッシュボタン１１２ａを押圧してオン状態にして、筐体１００の前面部、右側面部および左側面部をシート２０により遮蔽する。
【００４４】
シート２０の左縁部２０ｄを背面板１０６の左縁部１０６ｃ側に移動する際には、上部ローラー２２が上部ガイドレール１０８に沿って移動し、かつ、下部ローラー２４が下部ガイドレール１１０に沿って移動することにより、シート２０は蛇腹が拡がるようにようにして滑らかに移動する。
【００４５】
このとき、プッシュ板部材３４によりプッシュスイッチ１１２のプッシュボタン１１２ａが押圧されてオン状態とされているので、箔押し機構２００が作動可能となる。
【００４６】
なお、箔押し機構２００が作動中において、作業者が誤ってシート２０の左縁部２０ｄを右縁部２０ａ側へ移動して筐体１００の内部を開放すると、プッシュ板部材３４によるプッシュスイッチ１１２のプッシュボタン１１２ａの押圧が解除されてオフ状態となり、箔押し機構２００が作動が停止する。これにより、作業者の目がレーザー光に曝されることがなくなり、作業者の安全性が確保される。
【００４７】
また、上部遮蔽部材３６によりシート２０の上縁部２０ｂが外部から遮蔽され、また、下部遮蔽部材３８によりシート２０の下縁部２０ｃが外部から遮蔽されているので、シート２０の上縁部２０ｂや下縁部２０ｃからのレーザー光の外部への漏れを確実に防止することができる。
【００４８】
（ＩＩＩ）本発明による箔押し装置における遮光装置を備えた箔押し装置の作用効果
【００４９】
以上において説明したように、本発明による箔押し装置における遮光装置を備えた箔押し装置１０によれば、箔押し機構２００が作動中において作業者の目がレーザー光に曝されることがなくなり、作業者の安全性が確保されるとともに、被箔押し物のサイズに応じて予め設定された裕度を持たせてシート２０の面積を適宜に選択することにより、被箔押し物のサイズの制限を大幅に緩和することが可能になる。
【００５０】
（ＩＶ）他の実施の形態および変形例の説明
【００５１】
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更を行うことができる。
【００５２】
例えば、上記した実施の形態は、以下の（１）乃至（５）に示すように変形するようにしてもよい。
【００５３】
（１）上記した実施の形態においては、上部遮蔽部材３６と下部遮蔽部材３８とを設けるようにしたが、これに限られるものではないことは勿論である。
【００５４】
例えば、シート２０の材質などに応じて、シート２０の上縁部２０ｂからのレーザー光の漏れがないような場合には上部遮蔽部材３６を設けなくてもよいし、また、シート２０の下縁部２０ｃからのレーザー光の漏れがないような場合には下部遮蔽部材３８を設けなくてもよい。
【００５５】
（２）上記した実施の形態においては、シート２０の材質についての詳細な説明は省略したが、シート２０の材質は布、化学繊維あるいは合成樹脂などのように、設計条件などに応じて柔軟性のある素材を適宜に選択してよい。
【００５６】
（３）上記した実施の形態においては、背面板１０６の左縁部１０６ｃと隣接する底板１０４の左縁部１０４ｄに配設されている下部ガイドレール１１０の左端部１１０ａにプッシュスイッチ１１２を配設するとともに、シート２０の左縁部２０ｄの下方端部２０ｄｄにプッシュ板部材３４が配設するようにしたが、これに限られるものではないことは勿論である。
【００５７】
例えば、背面板１０６の左縁部１０６ｃと隣接する天板１０２の左縁部１０２ｄに配設されている上部ガイドレール１０８の左端部にプッシュスイッチ１１２を配設するとともに、シート２０の左縁部２０ｄの上方端部にプッシュ板部材３４を配設するようにしてもよい。
【００５８】
あるいは、背面板１０６の左縁部１０６ｃと隣接する底板１０４の左縁部１０４ｄに配設されている下部ガイドレール１１０の左端部１１０ａに第１のプッシュスイッチ１１２を配設するとともに、シート２０の左縁部２０ｄの下方端部２０ｄｄに第１のプッシュ板部材３４が配設し、かつ、背面板１０６の左縁部１０６ｃと隣接する天板１０２の左縁部１０２ｄに配設されている上部ガイドレール１０８の左端部に第２のプッシュスイッチ１１２を配設するとともに、シート２０の左縁部２０ｄの上方端部に第２のプッシュ板部材３４を配設するようにしてもよい。
【００５９】
また、上記した第１のプッシュスイッチ１１２と第１のプッシュ板部材３４を配設し、かつ、第２のプッシュスイッチ１１２と第２のプッシュ板部材３４とを配設し場合には、第１のプッシュスイッチ１１２と第２のプッシュスイッチ１１２とのいずれもがオン状態のときに箔押し機構２００を作動可能とし、第１のプッシュスイッチ１１２と第２のプッシュスイッチ１１２との少なくともいずれか一方がオフ状態のときに箔押し機構２００の作動を停止するようにしてもよい。
【００６０】
（４）上記した実施の形態においては、スイッチとしてプッシュボタン１１２ａを備えたプッシュスイッチ１１２を用いるようにしたが、スイッチはこれに限られるものではないことは勿論である。スイッチとしては、例えば、接触式のセンサーなどを利用したスイッチを用いるようにしてもよい。要するに、スイッチは、オン状態とオフ状態とを択一的に選択できるものであればよく、そうしたものであればどのような構造のものを採用してもよい。
【００６１】
（５）上記した実施の形態ならびに上記した（１）乃至（４）に示す各種の変形例は、適宜に組み合わせるようにしてもよいことは勿論である。
【産業上の利用可能性】
【００６２】
本発明は、色材がコーティングされた箔フィルムにレーザー光を照射して熱量を供給する箔押し装置に利用することができる。
【符号の説明】
【００６３】
１０      箔押し装置
２０      シート（膜）
２０ａ    シートの右縁部
２０ｂ    シートの上縁部
２０ｃ    シートの下縁部
２０ｄ    シートの左縁部
２０ｄｄ  シートの左縁部の下方端部（端部）
２２      上部ローラー
２４      下部ローラー
２６      上部ローラーの取り付け軸
２８      上部ローラーの取り付け軸の止めビス
３０      下部ローラーの取り付け軸
３２      下部ローラーの取り付け軸の止めビス
３４      プッシュ板部材（スイッチ操作手段、第１のスイッチ操作手段、第２のスイッチ操作手段）
３６      上部遮蔽部材
３８      下部遮蔽部材
１００      筐体
１０２      天板
１０２ａ    天板の後縁部
１０２ｂ    天板の右縁部
１０２ｃ    天板の前縁部
１０２ｄ    天板の左縁部
１０４      底板
１０４ａ    底板の後縁部
１０４ｂ    底板の右縁部
１０４ｃ    底板の前縁部
１０４ｄ    底板の左縁部
１０６      背面板
１０６ａ    背面板の上縁部
１０６ｂ    背面板の下縁部
１０６ｃ    背面板の左縁部
１０６ｄ    背面板の右縁部
１０８      上部ガイドレール
１１０      下部ガイドレール
１１０ａ    下部ガイドレールの左端部（端部）
１１２      プッシュスイッチ（スイッチ、第１のスイッチ、第２のスイッチ）
１１２ａ    プッシュボタン
２００      箔押し機構
【図１】
2020006595.tif 000003
【図２】
2020006595.tif 000004
【図３】
2020006595.tif 000005